(57)【要約】【課題】袋内に差し込んだ吸引ノズルによって粉体を吸引し取り出すときに、吸引ノズルの吸引口に袋が吸着し粉体を取り出すことができなくなる問題、また袋の底に粉体が残留しやすい問題を解決する。【解決手段】袋内の粉体の吸引取出装置が、開口を通し袋内に挿入され先端の吸引口によって粉体を吸引し取り出す昇降手段を有した吸引ノズルと、吸引ノズルとともに昇降し吸引口の周りを囲う枠体状に形成され吸引ノズルを下降させたときに吸引ノズルの先端と袋底との間に隙間を形成した状態で袋底に当接する袋底押さえ体を備える。【選択図】図１
2006168852.tif 000002
【特許請求の範囲】
【請求項１】
上方が開口した袋の中にこの開口を通して挿入され先端の吸引口によって袋内の粉体を吸引し取り出す昇降手段を有した吸引ノズルと、
吸引ノズルとともに昇降し吸引口の周りを囲う枠体状に形成され吸引ノズルを下降させたときに吸引ノズルの先端と袋底との間に隙間を形成した状態で袋底に当接する袋底押さえ体と
を備えている、ことを特徴とする袋内の粉体の吸引取出装置。
【請求項２】
袋底押さえ体が、
吸引ノズルの基端部にその周りを囲う枠体状に形成され取り付けられた基端枠体に、
吸引ノズルの昇降方向に伸びる複数個の棒状体により連結されている、
ことを特徴とする請求項１記載の袋内の粉体の吸引取出装置。
【請求項３】
基端枠体と吸引ノズルとが、吸引ノズルの昇降方向に対する直交方向の相対移動を自在に取り付けられ、
吸引ノズルの昇降手段が、吸引ノズルをこの直交方向に進退移動させる横移動手段を備えている、
ことを特徴とする請求項２記載の袋内の粉体の吸引取出装置。
【請求項４】
基端枠体が、吸引ノズルの両側に位置し直交方向に伸びる一対の案内溝を備え、
吸引ノズルが基端枠体に、案内溝内を転動する案内溝それぞれに間隔をおいて配設された２個のローラーを介して取り付けられている、
ことを特徴とする請求項３記載の袋内の粉体の吸引取出装置。
【請求項５】
基端枠体が略矩形状に形成されその長辺が、
袋の開口の長手方向と略同じ長さに形成されている、
ことを特徴とする請求項２から４までのいずれかに記載の袋内の粉体の吸引取出装置。
【請求項６】
棒状体が、
袋底押さえ体から袋底側に突出した位置に枠体の内方および/または外方に向いた鉤の手状の曲がり部を備えている、
ことを特徴とする請求項２から５までのいずれかに記載の袋内の粉体の吸引取出装置。
【請求項７】
棒状体が中空に形成され、
棒状体の先端部にこの中空部を通し供給される圧力空気を噴射する噴射口を備えている、
ことを特徴とする請求項２から６までのいずれかに記載の袋内の粉体の吸引取出装置。
【請求項８】
吸引ノズルの外周部に、
吸引口の部分に外部空気を導く基端部側から吸引口側に伸びる二次エアー取入管を備えている、
ことを特徴とする請求項１から７までのいずれかに記載の袋内の粉体の吸引取出装置。
【発明の詳細な説明】
【技術分野】
【０００１】
本発明は、袋内の粉体を吸引ノズルによって吸引して取り出す粉体の吸引取出装置に関する。
【背景技術】
【０００２】
一般に袋内に封入された粉体の取り出しは、袋の上部を開口し上下を反転させ下方に粉体を落下させることによって行なわれる。しかしながらこの方法には、袋の外側の汚れ・ほこりなどの異物が粉体に混入する、粉塵が発生する、などの問題がある。
【０００３】
袋を反転させることなく粉体を取り出す方法として、袋の開口から差し込んだ吸引ノズルによって粉体を吸引し取り出す方法がある。しかしながらこの方法は、袋が、特に袋にポリエチレンのような樹脂製の袋が内挿されていると、ノズルの吸引口に吸着されやすく粉体の吸引が妨げられてしまう問題がある。
【０００４】
この吸着の問題を解決するために、吸引ノズルの吸引口の周りに圧力空気の噴射ノズルを備え圧力空気の噴射によって袋の縮みそして吸着を防止する吸引取出装置が開発されている（例えば、特許文献１参照）。
【特許文献１】特開平９−２５４９４２号公報（第７図）
【発明の開示】
【発明が解決しようとする課題】
【０００５】
しかしながら上述したとおりの袋内の粉体を吸引し取り出す装置には、さらなる改善の望まれている問題がある。
【０００６】
すなわち、袋内の粉体を迅速に取り出すには、吸引ノズルの吸引空気量をできるだけ多くするとともに、袋が吸着されないように噴射ノズルの噴射空気量を多くする必要がある。しかしながら噴射空気量を多くすると、袋内の粉体が吹き飛ばされ粉塵を発生するので噴射空気量を多くするには限界がある。また、粉体の残量が少なくなり空になった袋は吸引口に吸着されやすくなる。さらに袋に内挿されたポリエチレンのような樹脂製袋は容易に吸着されやすい。
【０００７】
この吸引ノズルによる袋の吸引に関連して、袋の底部すなわち袋面に近い粉体を完全に吸引するのは難しく、底部に粉体が残りやすい。
【０００８】
本発明は上記事実に鑑みてなされたもので、その技術的課題は、袋内に差し込んだ吸引ノズルによって粉体を吸引し取り出すときに、吸引ノズルの吸引口に袋が吸着し粉体を取り出すことができなくなる問題、また袋の底に粉体が残留しやすい問題を解決することができる、袋内の粉体の吸引取出装置を提供することである。
【課題を解決するための手段】
【０００９】
本発明によれば上記技術的課題を解決する袋内の粉体の吸引取出装置として、上方が開口した袋の中にこの開口を通して挿入され先端の吸引口によって袋内の粉体を吸引し取り出す昇降手段を有した吸引ノズルと、吸引ノズルとともに昇降し吸引口の周りを囲う枠体状に形成され吸引ノズルを下降させたときに吸引ノズルの先端と袋底との間に隙間を形成した状態で袋底に当接する袋底押さえ体とを備えている、ことを特徴とする袋内の粉体の吸引取出装置が提供される。
【００１０】
好適には、袋底押さえ体は、吸引ノズルの基端部にその周りを囲う枠体状に形成され取り付けられた基端枠体に、吸引ノズルの昇降方向に伸びる複数個の棒状体により連結されている。基端枠体と吸引ノズルとは、吸引ノズルの昇降方向に対する直交方向の相対移動を自在に取り付けられ、吸引ノズルの昇降手段は、吸引ノズルをこの直交方向に進退移動させる横移動手段を備えている。
【００１１】
この基端枠体は、吸引ノズルの両側に位置し直交方向に伸びる一対の案内溝を備え、吸引ノズルが基端枠体に、案内溝内を転動する案内溝それぞれに間隔をおいて配設された２個のローラーを介して取り付けられている。また、基端枠体は略矩形状に形成されその長辺が、袋の開口の長手方向と略同じ長さに形成されている。
【００１２】
さらに、吸引ノズルの外周部に、吸引口の部分に外部空気を導く基端部側から吸引口側に伸びる二次エアー取入管を備えている。
【発明の効果】
【００１３】
本発明に従って構成された袋内の粉体の吸引取出装置は、吸引口の周りを囲う枠体状に形成され吸引ノズルとともに昇降する袋底押さえ体を備え、袋底押さえ体は吸引ノズルを下降させたときに吸引ノズルの先端と袋底との間に隙間を形成した状態で袋底に当接する。したがって、袋底押さえ体によって袋を押さえることにより、吸引口に袋が吸着するのを確実に防止し粉体が取り出せなくなる問題を除くことができる。また、袋の吸着が防止されるから袋の底の粉体を確実に吸引することができ袋底に粉体が残留する問題も解決できる。
【発明を実施するための最良の形態】
【００１４】
以下、本発明に従って構成された袋内の粉体の吸引取出装置について、好適実施形態を図示している添付図面を参照して、さらに詳細に説明する。
【００１５】
吸引取出装置の構成説明図である図１およびその要部の斜視図である図２を参照して説明する。全体を番号２で示す吸引取出装置は、粉体Ｐが収容され上方が開口した袋４の中に開口を通して挿入され先端の吸引口６によって粉体Ｐを吸引し取り出す、昇降手段８を有した吸引ノズル１０と、吸引ノズル１０とともに昇降し吸引口６の周りを囲う枠体状に形成された袋底押さえ体１２を備えている。これらの昇降方向を矢印Ｚで示す。
【００１６】
袋底押さえ体１２は、吸引ノズル１０の基端部にその周りを囲う矩形の枠体状に形成されて取り付けられた基端枠体１４に、吸引ノズル１０の昇降方向Ｚに伸びる４個の棒状体１６によって連結されている。
【００１７】
基端枠体１４と吸引ノズル１０とは、吸引ノズル１０の昇降方向Ｚに対する直交方向である横方向Ｘに相対移動を自在にして取り付けられている。昇降手段８は、吸引ノズル１０をこの横方向Ｚに進退移動させる横移動手段を含んでいる。
【００１８】
横移動手段を含む昇降手段８そのものは、電動モーター、空圧シリンダ、ベルト、ラックピニオンなどを組み合わせて構成される、吸引ノズル１０を昇降方向Ｚおよび横方向Ｘに進退移動できる、公知の形態のものでよい。したがって、本発明の新規特徴を構成するものではないので、構成の詳細についての説明は省略する。
【００１９】
吸引取出装置２における、吸引ノズル１０、袋底押さえ体１２、基端枠体１４、棒状体１６などは、基本的にステンレスの鋼管、鋼材を適宜に成形、接合して形成されている。後に述べるローラー１８などにはプラスチックが用いられている。
【００２０】
粉体Ｐを収容する袋４の典型例は、クラフト紙で作られた袋体４ａと、袋体４ａに内挿されたポリエチレン製の樹脂袋４ｂを備えている。袋４は枠体容器状の治具５内に収められ開口を上方にした安定した姿勢に保持される。
【００２１】
吸引ノズル１０そのものは公知のものでよく、円管により形成された管体１０ａの先端（下端）に吸引口６を備え、基端側が昇降手段８に連結され、基端側の端部が可撓性を有した吸引管１０ｂに連結されている。
【００２２】
吸引ノズル１０の管体１０ａの外周部には二次エアー取入管１１が取り付けられている。二次エアー取入管１１は、管体１０ａとの間に隙間を有して被せられ基端側と吸引口６側の間に伸びて吸引口１０の部分への外部の空気の導入路を形成している。
【００２３】
主として図２を参照して説明を続ける。基端枠体１４は真直の帯板材を矩形状に接合して形成され、その長辺は袋４の開口の長手方向と略同じ長さに形成されている（図１）。基端枠体１４は、吸引ノズル１４の両側に位置する一対の長辺部１４ａ、１４ａそれぞれに横方向Ｘに伸びる長孔状の案内溝１４ｂを備えている。
【００２４】
基端枠体１４と吸引ノズル１０とは、この一対の案内溝１４ｂ、１４ｂそれぞれ内に横方向Ｘに間隔をおいて転動自在に配設された２個のローラー１８、１８、ならびに吸引ノズル１０のノズル本体１０ａから突出し２個のローラー１８、１８を回転自在に支持する一対のブラケット２０、２０それぞれを介して取り付けられている。
【００２５】
かくして基端枠体１４は、横方向Ｘに伸びる案内溝１４ｂおよび２個のローラー１８、１８によって、昇降方向Ｚに対する横方向Ｘの姿勢が保持されている。
【００２６】
袋底押さえ体１２は真直の帯板材を矩形状に接合し横方向Ｘ（水平方向）に伸びた略正四角形に形成され、各辺の長さは基端枠体１４の短辺と実質上同じに形成されている。
【００２７】
４個の棒状体１６それぞれの一端（下端）は袋底押さえ体１２の４隅にそれぞれ一体に接合され、他端（上端）は基端枠体１４の一対の長辺部１４ａ、１４ａそれぞれの長手方向の中央に２個ずつ一体に接合されている。この４個の棒状体１６によって、昇降方向Ｚにおける袋底押さえ体１２の下端と吸引ノズル１０の先端位置の関係を、袋底押さえ体１２の下端を所定の寸法Ｌ（図１）下方にし、位置付けている。
【００２８】
かくして袋底押さえ体１２は吸引ノズル１０を袋４内に下降させたときに吸引ノズル１０の先端と袋底との間に隙間Ｌを形成する状態で袋底に当接する。寸法Ｌは、吸引ノズル１０の吸引口６の形状、袋４の樹脂袋４ｂの性状、袋底押さえ体１２の枠体形状、吸引ノズル１０の吸引空気量などに基づいて、吸引口６により粉体Ｐを吸引することができる可能な限り小さい寸法に設定される。
【００２９】
図１および図２とともに図３、主として図３を参照して上述したとおりの袋内の粉体の吸引取出装置２による粉体の取出しについて説明する。
【００３０】
（１）袋４内の粉体Ｐを吸引取り出すには、図１に示す袋４の開口の上方に位置した吸引ノズル１０を昇降手段８によって粉体Ｐ内に漸次下降させ粉体Ｐを吸引し取り出す。
【００３１】
（２）吸引ノズル１０とともに下降する袋底押さえ体１２は、吸引ノズル１０の先端が袋底に近付くと、袋４の樹脂袋４ｂが吸引口６に吸着されるのを阻止し、粉体Ｐの良好な吸引を維持する。
【００３２】
（３）吸引ノズル１０をさらに下降させると、袋底押さえ体１２は袋底に当接し、樹脂袋４ｂを押さえ付け吸引口６による樹脂袋４ｂの吸引を阻止する。
【００３３】
（４）袋底押さえ体１４を袋底に位置付けた状態で、昇降手段８に備えた横移動手段を操作することにより、吸引ノズル１０は固定された状態の袋底押さえ体１２に連結している基端枠体１４の案内溝１４ｂに案内されて、図３に二点鎖線で示すように横方向Ｘに移動し、吸引口６は袋底に沿って横方向に移動し、袋底の粉体Ｐを吸引する。
【００３４】
次に図４を参照して、袋底押さえ体１２と基端枠体１４を結ぶ棒状体１６の他の形態について説明する。
【００３５】
図４（ａ）に示す棒状体２６は、袋底押さえ体１２から袋底側に突出した位置に袋底押さえ体１２の内方に向いた鉤の手状の曲がり部２６ａを備えている。
【００３６】
図４（ｂ）に示す棒状体３６は、中空に形成され、袋底押さえ体１２から袋底側に突出した位置に袋底押さえ体１２の内方および外方それぞれを向いた鉤の手状の曲がり部３６ａを備え、それぞれの先端部にこの中空部を通し供給される圧力空気を内外に噴射する噴射口３６ｂを備えている。
【００３７】
上述したとおりの袋内の粉体の吸引取出装置２の作用について説明する。
【００３８】
吸引取出装置２は、吸引口６の周りを囲う枠体状に形成され吸引ノズル１０とともに昇降する袋底押さえ体１２を備え、袋底押さえ体１２は吸引ノズル１０を下降させたときに吸引ノズル１０の先端と袋底との間に隙間Ｌを形成した状態で袋底に当接する。したがって吸引口６に袋４（樹脂袋４ｂ）が吸着するのを確実に防止することができ、吸引口６に袋４が吸着し粉体Ｐを取り出せなくなる問題を除くことができる。また、袋４の吸着が防止されるので袋４の底の粉体Ｐを確実に吸引することができ袋底に粉体が吸引されないで残留する問題も解決できる。
【００３９】
さらに、基端枠体１４と吸引ノズル１０とは、吸引ノズル１０の昇降方向Ｚに対し横方向Ｘに相対移動を自在に取り付けられ、横移動手段によって吸引ノズル１０は横方向Ｘに進退移動される。したがって、吸引ノズル１０の吸引口６を袋底に沿って横方向Ｘに移動できるので、袋底の粉体Ｐをより効果的に吸引することができ、袋４内の粉体の残量を最少にすることができる。
【００４０】
袋底押さえ体１２は、吸引ノズル１０の基端部に取り付けられた基端枠体１４に、吸引ノズル１０の昇降方向Ｚに伸びる複数個の棒状体１６によって連結されている。したがって粉体Ｐ内に吸引ノズル１０を袋底押さえ体１２とともに挿入する際の挿入抵抗を小さくすることができる。
【００４１】
基端枠体１４は、吸引ノズル１０に、基端枠体１４の横方向Ｘに伸びる案内溝１４ａ内を転動する２個のローラー１８，１８を介して取り付けられている。したがって袋底押さえ体１２は、粉体Ｐに挿入される際に粉体Ｐの抵抗により傾くことなく水平に保持される。
【００４２】
基端枠体１４は、略矩形状に形成されその長辺が袋４の開口の長手方向と略同じ長さに形成されている。したがって、吸引ノズル１０は袋４内を十分に横方向Ｘに移動し残存量を最少にして粉体Ｐを吸引することができる。
【００４３】
吸引ノズル１０は、その外周部に二次エアー取入管１１を備えている。したがって吸引口６への吸引空気を外部から適切に導入でき、吸引ノズル１０の側方からの袋４が吸引口６に吸引されるのを防止できる。
【００４４】
棒状体１６の他の形態である棒状体２６は、袋底押さえ体１２から袋底側に突出した位置に枠体の内方および/または外方に向いた鉤の手状の曲がり部を備えている。したがって袋底押さえ体１２の枠体が袋４の底に当接する前に、曲がり部２６ａが袋底に当接し、袋底押さえ体１２と袋底の間に隙間を形成し、粉体Ｐの吸引を促進させることができる。
【００４５】
棒状体１６のさらに他の形態である棒状体３６は、中空に形成され先端部に圧力空気を噴射する噴射口３６ｂを備えている。したがって袋底押さえ体１２と袋底の間に隙間を形成するとともに圧力空気の噴射により粉体Ｐを流動化させることができ、粉体Ｐの吸引をさらに促進させることができる。
【図面の簡単な説明】
【００４６】
【図１】本発明に従って構成された袋内の粉体の吸引取出装置を側面から見て示した構成説明図。
【図２】図１の吸引取出装置の要部を示した斜視図。
【図３】図１の吸引取出装置の作動説明図。
【図４】袋底押さえ体と基端枠体を結ぶ棒状体の他の形態を示した斜視図。
【符号の説明】
【００４７】
２：粉体の吸引取出装置
４：袋
６：吸引口
８：昇降手段
１０：吸引ノズル
１１：二次エアー取入管
１２：袋底押さえ体
１４：基端枠体
１４ａ：案内溝
１６：棒状体
１８：ローラー
Ｐ：粉体
Ｘ：横方向（直交方向）
Ｚ：昇降方向
【図１】
2006168852.tif 000003
【図２】
2006168852.tif 000004
【図３】
2006168852.tif 000005
【図４】
2006168852.tif 000006